(57)【要約】【課題】エレベータ据付作業を効率よく行えるようにする。【解決手段】実施形態によれば、エレベータ据付作業用ゴンドラは、作業者が乗込み可能なかご部と、鉛直に延びてかご部の互いに対向する側面部に取り付けられた２つの支柱２ａ、２ｂと、各支柱２ａ、２ｂの上方端部同士を連結する梁３と、梁３に固定されて梁にほぼ平行に延びる少なくとも１つの軸部材７と、梁３に着脱可能に取り付けられて開口部を上方から覆う板状で梁３との固定が解除されているときに、軸部材７周りを回動可能に構成された天井部１０と、を有する。【選択図】  図３
2012020860.tif 000002
【特許請求の範囲】
【請求項１】
鉛直に延びる昇降路内にエレベータ設備を据え付けるときに用いるもので、前記昇降路内を上下移動可能に構成されたエレベータ据付作業用ゴンドラにおいて、
作業者が乗込み可能で、鉛直上方に開口する開口部が形成された箱型のかご部と、
それぞれが鉛直に延びて、前記かご部の互いに対向する側面部にそれぞれ取り付けられた２つの支柱と、
水平に延びて、前記各支柱の上方端部同士を連結するように配置された梁と、
前記梁に直接的または間接的に固定されて、少なくとも一部が前記梁にほぼ平行に延びるように形成された少なくとも１つの軸部材と、
前記梁に着脱可能に取り付けられて、前記開口部を上方から覆う板状で、前記梁との固定が解除されているときに、前記軸部材周りを回動可能に構成された天井部と、
を有することを特徴とするエレベータ据付作業用ゴンドラ。
【請求項２】
前記軸部材の両端それぞれが前記各支柱付近で前記各支柱に向かって湾曲して、前記両端それぞれが前記各支柱に取り付けられるように構成されていること、を特徴とする請求項１に記載のエレベータ据付作業用ゴンドラ。
【請求項３】
前記軸部材の一方の端部が湾曲して一方の前記支柱に連結されて、
前記軸部材は、当該連結される部位を中心に回転可能に構成されていること、
を特徴とする請求項１に記載のエレベータ据付作業用ゴンドラ。
【請求項４】
前記天井部の前記梁に対向する端部には、前記軸部材を上方から覆うフックが取り付けられて、
前記天井部および梁の固定が解除されたときに、前記フックが前記軸部材周りを回動するように構成されていること、
を特徴とする請求項１ないし請求項３のいずれか一項に記載のエレベータ据付作業用ゴンドラ。
【請求項５】
前記天井部は、４つの棒材からなる長方形枠を有し、取付け部を介して前記軸部材に取り付けられて、
前記取付け部は、
前記軸部材を上方から覆うフックと、
前記フックに直接的または間接的に取り付けられて、前記軸部材に垂直に配置される前記各棒材が前記軸部材に垂直に平行移動可能に構成されたガイド部と、
を有することを特徴とする請求項１ないし請求項３のいずれか一項に記載のエレベータ据付作業用ゴンドラ。
【発明の詳細な説明】
【技術分野】
【０００１】
本発明の実施形態は、エレベータを据え付けるときに用いられて、昇降路内を上下移動可能なエレベータ据付作業用ゴンドラに関する。
【背景技術】
【０００２】
建屋に形成された昇降路にエレベータを据え付けるときに、昇降路内を上下移動するゴンドラが用いられる。このゴンドラは、乗りかごや釣合い錘等を当該昇降路内に据え付ける前に、昇降路上端に取り付けられたフックに懸架されたロープに吊り下げられる。このゴンドラは、専用の巻上げ機により、昇降路内を上下移動する。作業者は、上下移動するゴンドラに乗り込んで、昇降路内にエレベータに係る各設備を設置する。
【０００３】
ゴンドラには、作業者が乗り込むかご部と、このかご部を上方から覆う天井部と、を有する。天井部は、昇降路の下方にゴンドラがあるときに、昇降路上方からの落下物から作業者を保護するためのものである。
【先行技術文献】
【特許文献】
【０００４】
【特許文献１】特開２００５−１３８９３９号公報
【発明の概要】
【発明が解決しようとする課題】
【０００５】
当該天井部は、かご部の床面から約２ｍ程度の位置に取り付けられる。ゴンドラが昇降路の最上部にあるときの作業は、当該天井部を外す必要がある。
【０００６】
一方、ゴンドラは、ガイドレール等により支持されていないため、作業中に揺れることが多い。このため、重量のある天井部を取り外すときに、作業者はバランスを崩しやすい。このように、天井部を取り外す作業は、作業性が悪く、危険な場合がある。
【０００７】
また、エレベータ据付作業でゴンドラの上下移動が頻繁に行われると、天井部の取外しの頻度が高くなり、エレベータ据付作業の効率が低下する。
【０００８】
本発明の実施形態は上記課題を解決するためのものであり、その目的は、エレベータ据付作業を効率よく行えるようにすることである。
【課題を解決するための手段】
【０００９】
上記目的を達成するための実施形態に係るエレベータ据付作業用ゴンドラは、鉛直に延びる昇降路内にエレベータ設備を据え付けるときに用いるもので、前記昇降路内を上下移動可能に構成されたエレベータ据付作業用ゴンドラにおいて、作業者が乗込み可能で、鉛直上方に開口する開口部が形成された箱型のかご部と、それぞれが鉛直に延びて、前記かご部の互いに対向する側面部にそれぞれ取り付けられた２つの支柱と、水平に延びて、前記各支柱の上方端部同士を連結するように配置された梁と、前記梁に直接的または間接的に固定されて、少なくとも一部が前記梁にほぼ平行に延びるように形成された少なくとも１つの軸部材と、前記梁に着脱可能に取り付けられて、前記開口部を上方から覆う板状で、前記梁との固定が解除されているときに、前記軸部材周りを回動可能に構成された天井部と、を有することを特徴とする。
【図面の簡単な説明】
【００１０】
【図１】本発明に係る第１の実施形態のエレベータ据付作業用ゴンドラの構成を示す概略正面図である。
【図２】図１のII−II矢視の一部を示す上面図である。
【図３】図２の枠部等を仮想的に示した上面図である。
【図４】図３のIV−IV矢視の部分立断面図である。
【図５】図４の天井部が回動する状態を示し、回動前、回動中、回動完了の３種類の状態を重ねて示している。
【図６】本発明に係る第２の実施形態のエレベータ据付作業用ゴンドラの第１天井部およびその付近を示す概略上面図である。
【図７】図６のVII−VII矢視正面図である。
【図８】図７のVIII−VIII矢視の部分側面図である。
【図９】図７の枠部が回動している途中に、枠部が上方に平行移動している状態を示す概略正面図である。
【図１０】本発明に係る第３の実施形態のエレベータ据付作業用ゴンドラの第１天井部およびその付近を示す概略上面図である。
【図１１】図１０のXI−XI矢視背面図である。
【図１２】図１０のXII−XII矢視側面図である。
【図１３】図１２の枠部等が回動している途中を示す概略側面図である。
【図１４】本発明に係る第４の実施形態のエレベータ据付作業用ゴンドラの第１天井部およびその付近を示す概略上面図である。
【発明を実施するための形態】
【００１１】
以下、実施形態について、図面を参照して説明する。
【００１２】
［第１の実施形態］
第１の実施形態のエレベータ据付作業用ゴンドラについて、図１〜図５を用いて説明する。図１は、本実施形態のエレベータ据付作業用ゴンドラの構成を示す概略正面図である。図２は、図１のII−II矢視の一部を示す上面図である。図３は、図２の枠部１１および網状部材１２等を仮想的に２点鎖線で示した上面図である。
【００１３】
図４は、図３のIV−IV矢視の部分立断面図である。図５は、図４の天井部が回動する状態を示し、回動前、回動中、回動完了の３種類の状態を重ねて示している。なお、図５では、第２固定部材４ｂの図示を省略している。
【００１４】
先ず、本実施形態のエレベータ据付作業用ゴンドラの構成について説明する。
【００１５】
本実施形態のエレベータ据付作業用ゴンドラは、鉛直に延びる昇降路５０内にエレベータ設備を据え付けるときに用いるものである。このエレベータ据付作業用ゴンドラは、昇降路５０の上部に掛けられたロープ（図示せず）に吊り下げられて、昇降路５０内を上下移動可能に構成される。
【００１６】
このエレベータ据付作業用ゴンドラは、かご部１と、第１支柱２ａと、第２支柱２ｂと、梁３と、第１天井部１０と、第２天井部２０と、を有する。
【００１７】
かご部１は、作業者が乗込み可能で、鉛直上方に開口する開口部１ａが形成された箱型である。第１支柱２ａおよび第２支柱２ｂは、それぞれが鉛直に延びて、かご部１の互いに対向する側面部にそれぞれ取り付けられている。
【００１８】
梁３は、水平に延びて、第１および第２支柱２ａ、２ｂの上方端部同士を連結するように配置される。この梁３には、軸部材７が取り付けられている。この軸部材７は、部分的に梁３に平行に且つ水平に延びた丸棒材で、両端が湾曲している。上方から見たとき、Ｕ字形をなす。軸部材７の両端は、梁３に固定される。
【００１９】
第１天井部１０は、第１支柱２ａおよび第２支柱２ｂに着脱可能に固定され、第１支柱２ａおよび第２支柱２ｂに取り付けられているときは、かご部１の開口部１ａの一部を上方から覆うように構成される。この第１天井部１０は、長方形状の枠部１１と、この枠部１１に取り付けられた２つのフック１３と、第１固定部材４ａと、第２固定部材４ｂと、を有する。
【００２０】
枠部１１は、断面が矩形の４つの棒材を有し、これらによって長方形状をなす。この枠部１１には、ネット等の網状部材１２が取り付けられている（図２）。
【００２１】
２つのフック１３は、枠部１１を構成する棒材のうち、梁３に対向する棒材に、それぞれ取り付けられている。これらのフック１３は、軸部材７に引っ掛けられた状態が保たれ、軸部材７周りを滑りながら回動することができる。
【００２２】
第１固定部材４ａは、水平に長い長方形の板状の部材である。この第１固定部材４ａは、枠部１１を構成する棒材のうち第１支柱２ａ側で第１支柱２ａに垂直に配置される棒材と、第１支柱２ａとを、ボルトおよびナット等で連結する。なお、ボルトおよびナット等の図示は省略している。第２固定部材４ｂは、第１固定部材４ａと同様に、当該棒材のうち第２支柱２ｂ側で第２支柱２ｂに垂直に配置される棒材と、第２支柱２ｂとを、連結する。
【００２３】
第２天井部２０は、梁３を介して軸部材７がある側の反対側の第１および第２支柱２ａ、２ｂに固定されている。
【００２４】
続いて、エレベータ据付作業用ゴンドラが昇降路の最上部付近で停止しているときに、第１天井部１０を取り外す作業手順について説明する。
【００２５】
先ず、第１固定部材４ａと、第１天井部１０の第１固定部材４ａに連結される枠部１１の棒材との、連結を解除する。このとき、第１天井部１０は第２固定部材４ｂで固定されて、且つ２つのフック１３が軸部材７に引っ掛った状態である。
【００２６】
次に、第２固定部材４ｂと、第２固定部材４ｂに連結される枠部１１の棒材との、連結を解除する。このとき、第１天井部１０は、２つのフック１３が軸部材７に引っ掛った状態であり、枠部１１は、作業者によって動かないように押えられている。
【００２７】
この後に、各フック１３が軸部材７周りを滑りながら枠部１１等の自重により回動して、枠部１１が鉛直方向に向く状態になる（図５）。
【００２８】
次に、軸部材７および各フック１３の引掛り（係合）状態を解除して、かご部１内の所定位置に移動される。このとき、作業者は、第１天井部１０が取り外された状態で、エレベータの据付作業を行うことが可能になる。
【００２９】
第１天井部１０は、第１支柱２ａおよび第２支柱２ｂとの連結を解除した直後においても、フック１３が軸部材７に引っ掛けられた状態が保たれている。このため、作業者が第１天井部１０を支持しやすい状態が保たれる。これにより、第１天井部１０の取外し作業をより安全に且つ効率よく行うことが可能になる。
【００３０】
以上の説明からわかるように、本実施形態によれば、エレベータ据付作業で当該ゴンドラの上下移動が頻繁に行われ、天井部の取外しに頻度が高くなるときも、エレベータ据付作業を効率よく行うことが可能になる。
【００３１】
なお、第１天井部１０を取り付けるときは、上記手順を逆に行えばよい。
【００３２】
［第２の実施形態］
第２の実施形態のエレベータ据付作業用ゴンドラについて、図１および図６〜図９を用いて説明する。図６は、本実施形態のエレベータ据付作業用ゴンドラの第１天井部１０およびその付近を示す概略上面図である。図７は、図６のVII−VII矢視正面図である。なお、図７では、第１固定部材４ａの図示を省略している。
【００３３】
図８は、図７のVIII−VIII矢視の部分側面図である。図９は、図７の枠部１１が回動している途中に、枠部１１が上方に平行移動している状態を示す概略正面図である。
【００３４】
なお、本実施形態は、第１の実施形態（図１〜図５）の変形例であって、第１の実施形態と同一部分または類似部分には、同一符号を付して、重複説明を省略する。
【００３５】
本実施形態のエレベータ据付作業用ゴンドラの構成について説明する。このエレベータ据付作業用ゴンドラの全体構造は、第１の実施形態で説明した図１とほぼ同じように構成される。
【００３６】
当該エレベータ据付作業用ゴンドラの第１天井部１０は、枠部１１と、ガイド等取付け部材１５と、第１および第２固定部材４ａ、４ｂと、を有する。
【００３７】
ガイド等取付け部材１５は、水平に長い長方形状の板材で、枠部１１を構成する棒材のうち梁３に対向する棒材の下方に、後述する第１および第２リニアガイド１６ａ、１６ｂを介して、互いに平行に固定される。このガイド等取付け部材１５の両端には、第１および第２固定部材４ａ、４ｂがそれぞれの一方の端部（図６における左方端部）が連結される。第１および第２固定部材４ａ、４ｂの右方端部は、梁３に着脱可能に連結される。詳細な図示は省略しているは、これらの連結は、ボルトおよびナット等で連結されている。
【００３８】
このガイド等取付け部材１５には、２つのリニアガイド、すなわち、第１リニアガイド１６ａおよび第２リニアガイド１６ｂと、２つのフック１３と、が取り付けられている。
【００３９】
第１リニアガイド１６ａは、ガイド等取付け部材１５の第１支柱２ａ側の端部に固定される。この第１リニアガイド１６ａは、枠部１１を構成する棒材のうち第１支柱２ａ側で第１支柱２ａに垂直に配置される棒材の一部を取り囲むように配置される。
【００４０】
第２リニアガイド１６ｂは、ガイド等取付け部材１５の第２支柱２ｂ側の端部に固定される。この第２リニアガイド１６ｂは、枠部１１を構成する棒材のうち第２支柱２ｂ側で第２支柱２ｂに垂直に配置される棒材の一部を取り囲むように配置される。
【００４１】
第１および第２リニアガイド１６ａ、１６ｂは、枠部１１を図７における左右方向に平行移動可能に構成される。第１天井部１０が梁３に固定されるときには、第１および第２リニアガイド１６ａ、１６ｂに隣接する部位にストッパ（図示せず）等を取り付けて、枠部１１を固定しておけばよい。
【００４２】
２つのフック１３は、ガイド等取付け部材１５に、長手方向に沿って互いに間隔をあけて固定されて、第１の実施形態と同様に、軸部材７に引っ掛けられている。
【００４３】
続いて、本実施形態の第１天井部１０を取り外す作業手順について説明する。
【００４４】
先ず、第１の実施形態と同様に、第１固定部材４ａと、第１固定部材４ａに連結される枠部１１の棒材との、連結を解除して、この後に、第２固定部材４ｂと、第２固定部材４ｂに連結される枠部１１の棒材との、連結を解除する。このとき、第１天井部１０は、２つのフック１３が軸部材７に引っ掛った状態であり、枠部１１は、作業者によって動かないように押えられている。
【００４５】
この後に、各フック１３が軸部材７周りを滑りながら回動して、枠部１１が鉛直方向に向く状態になる。次に、第１および第２リニアガイド１６ａ、１６ｂに沿って、枠部１１を上方に向かって平行移動させる。
【００４６】
これにより、各フック１３の係合を解除して、第１天井部１０を取り外さなくても、作業者は、第２天井部２０がある側に容易に移動することができる。
【００４７】
また、図９に示すように、枠部１１を回動させている途中で、枠部１１を上方に平行移動させることも可能である。
【００４８】
［第３の実施形態］
第３の実施形態のエレベータ据付作業用ゴンドラについて、図１および図１０〜図１２を用いて説明する。図１０は、本実施形態のエレベータ据付作業用ゴンドラの第１天井部１０およびその付近を示す概略上面図である。図１１は、図１０のXI−XI矢視背面図である。なお、図１１では、第２固定部材４ｂの図示を省略している。
【００４９】
図１２は、図１０のXII−XII矢視側面図である。図１３は、図１２の枠部１１等が回動している途中を示すが概略側面図である。
【００５０】
なお、本実施形態は、第１の実施形態（図１〜図５）の変形例であって、第１の実施形態と同一部分または類似部分には、同一符号を付して、重複説明を省略する。
【００５１】
本実施形態のエレベータ据付作業用ゴンドラの構成について説明する。このエレベータ据付作業用ゴンドラの全体構造は、第１の実施形態で説明した図１とほぼ同じように構成される。
【００５２】
当該本実施形態のエレベータ据付作業用ゴンドラの梁３には、軸部材７および係合部８が取り付けられている。軸部材７は、一方の側が湾曲している棒材である。すなわち、この軸部材７を上から見ると、Ｌ字形で、湾曲部を境に軸部材長手側７ｂおよび軸部材短手側７ｃが形成される。軸部材短手側７ｃの端部が梁３に取り付けられている。軸部材７は、この梁３に連結された連結部７ｄを中心に、水平で且つ軸部材短手側７ｃに延びる軸周りを回転可能に構成されている。
【００５３】
係合部８は、軸部材長手側７ｂの端部付近に固定されている（図１０）。軸部材長手側７ｂは、この係合部８の鉛直上方から被さるように配置されている（図１１）。
【００５４】
枠部１１に取り付けられた各フック１３は、軸部材７に引っ掛けられている。各フック１３は、軸部材７周りを回動可能である。図示は省略しているが、各フック１３は、軸部材７から外れないように、ストッパ等が設けられている。
【００５５】
続いて、本実施形態の第１天井部１０を取り外す作業手順について説明する。
【００５６】
先ず、第１の実施形態と同様に、第１固定部材４ａと、第１固定部材４ａに連結される枠部１１の棒材との、連結を解除して、この後に、第２固定部材４ｂと、第２固定部材４ｂに連結される枠部１１の棒材との、連結を解除する。このとき、軸部材７は係合部８に引っ掛った状態で、第１天井部１０は２つのフック１３により軸部材７の長手側に固定された状態である。第１天井部１０は、作業者によって動かないように押えられている。
【００５７】
この後に、軸部材７は、連結部７ｄを中心に、軸部材短手側７ｃに延びる軸周りを回転する。このとき、軸部材７に各フック１３を介して固定されている第１天井部１０も回転する。回転した後の第１天井部１０は、第１支柱２ａに隣接するように、且つ鉛直に立つ状態で固定される。
【００５８】
これにより、第１の実施形態と同様の効果を得ることが可能になる。
【００５９】
この後に、軸部材７および各フック１３のストッパを外して、枠部１１を軸部材７周りに回動させてもよい。
【００６０】
［第４の実施形態］
第４の実施形態のエレベータ据付作業用ゴンドラについて、図１および図１４を用いて説明する。図１４は、本実施形態のエレベータ据付作業用ゴンドラの第１天井部１０およびその付近を示す概略上面図である。なお、本実施形態は、第１の実施形態（図１〜図５）の変形例であって、第１の実施形態と同一部分または類似部分には、同一符号を付して、重複説明を省略する。
【００６１】
本実施形態のエレベータ据付作業用ゴンドラの構成について説明する。このエレベータ据付作業用ゴンドラの全体構造は、第１の実施形態で説明した図１とほぼ同じように構成される。
【００６２】
当該本実施形態のエレベータ据付作業用ゴンドラは、２つの軸部材、すなわち、第１軸部材９ａおよび第２軸部材９ｂを有する。
【００６３】
第１軸部材９ａは、水平で且つ梁３に平行に延びて、枠部１１を構成する棒材のうち第１支柱２ａ側で第１支柱２ａに垂直に配置される棒材と、第１固定部材４ａと、連結する。第１軸部材９ａは、当該棒材に回転自在に取り付けられている。
【００６４】
第１固定部材４ａの枠部１１の反対側には、ナット９ｄが配置される。この例では、第１軸部材９ａおよび第１固定部材４ａは、ダブルナット９ｃで連結される。当該棒材および第１固定部材４ａは、ダブルナットとは別に、ボルトおよびナット９ｄ等で固定される。また、第１固定部材４ａおよび第１支柱２ａは、ボルトおよびナット９ｄ等で固定される。
【００６５】
第２軸部材９ｂは、第１軸部材９ａの軸方向延長上に延びて、枠部１１を構成する棒材のうち第２支柱２ｂ側で第２支柱２ｂに垂直に配置される棒材と、第２固定部材４ｂと、連結する。第２軸部材９ｂは、当該棒材に回転自在に取り付けられている。
【００６６】
第２固定部材４ｂの枠部１１の反対側には、ナット９ｄが配置される。この例では、第２軸部材９ｂおよび第２固定部材４ｂは、ダブルナット９ｃで連結される。当該棒材および第２固定部材４ｂは、ダブルナット９ｃとは別に、ボルトおよびナット９ｄ等で固定される。また、第２固定部材４ｂおよび第２支柱２ｂは、ボルトおよびナット９ｄ等で固定される。
【００６７】
続いて、本実施形態の第１天井部１０を取り外す作業手順について説明する。
【００６８】
先ず、枠部１１を構成する棒材のうち第１支柱２ａ側で第１支柱２ａに垂直に配置される棒材と、第１固定部材４ａと、の連結を解除する。すなわち、当該棒材および第１固定部材４ａを固定しているボルトおよびナット等を取り外す。
【００６９】
次に、枠部１１を構成する棒材のうち第２支柱２ｂ側で第２支柱２ｂに垂直に配置される棒材と、第２固定部材４ｂと、の連結を解除する。このとき、枠部１１は、第１および第２軸部材９ａ、９ｂ周りを回動可能な状態になり、作業者によって動かないように押えられている。
【００７０】
この後に、枠部１１は、第１および第２軸部材９ａ、９ｂ周りを回動する。回動後の枠部１１は、鉛直に立つ状態になる。この後に、第１および第２軸部材９ａ、９ｂのダブルナット９ｃを取り外して、枠部１１から第１および第２軸部材９ａ、９ｂを取り外す。
【００７１】
これにより、第１の実施形態と同様の効果を得ることが可能になる。
【００７２】
［その他の実施形態］
上記実施形態の説明は、本発明を説明するための例示であって、特許請求の範囲に記載の発明を限定するものではない。また、本発明の各部構成は上記実施形態に限らず、特許請求の範囲に記載の技術的範囲内で種々の変形が可能である。
【００７３】
例えば、上記実施形態では、第１天井部１０のみを取外し可能に構成されているが、これに限らない。第２天井部２０も取外し可能に構成してもよい。
【００７４】
また、第４の実施形態の枠部１１を、第２の実施形態で説明したようなリニアガイドを設けて、平行移動可能に構成してもよい。
【００７５】
また、第３の実施形態では、第１天井部１０は、軸部材短手側７ｃに延びる軸周りを回転可能に構成されているが、これに限らない。軸部材短手側７ｃの端部にボールジョイント等を取り付けることで、回転軸の方向が規制されないように構成してもよい。
【符号の説明】
【００７６】
１…かご部、１ａ…開口部、２ａ…第１支柱、２ｂ…第２支柱、３…梁、４ａ…第１固定部材、４ｂ…第２固定部材、７…軸部材、７ｂ…軸部材長手側、７ｃ…軸部材短手側、７ｄ…連結部、８…係合部、９ａ…第１軸部材、９ｂ…第２軸部材、９ｃ…ダブルナット、９ｄ…ナット、１０…第１天井部、１１…枠部、１２…網状部材、１３…フック、１５…ガイド等取付け部材、１６ａ…第１リニアガイド、１６ｂ…第２リニアガイド、２０…第２天井部、５０…昇降路
【図１】
2012020860.tif 000003
【図２】
2012020860.tif 000004
【図３】
2012020860.tif 000005
【図４】
2012020860.tif 000006
【図５】
2012020860.tif 000007
【図６】
2012020860.tif 000008
【図７】
2012020860.tif 000009
【図８】
2012020860.tif 000010
【図９】
2012020860.tif 000011
【図１０】
2012020860.tif 000012
【図１１】
2012020860.tif 000013
【図１２】
2012020860.tif 000014
【図１３】
2012020860.tif 000015
【図１４】
2012020860.tif 000016